(57)【要約】【課題】制御部材の押圧面のどこを押しても挿入力が安定して得られるプラグコネクタ組立体を提供する。【解決手段】本体１１０と、本体から嵌合側へ延びる中央プラグ部分１２０と、本体における中央プラグ部分を囲む環状部位のうち複数の箇所から高さ方向に沿って嵌合側へそれぞれ延びた複数の脚部１３０とを有するハウジング１００と、板状の操作部材２１０と、操作部材からほぼ平行に嵌合側へ延びた複数のガイド部材２２０とを有する制御部材２００とを備え、脚部の嵌合側の端部の外側には、外側へ突き出た掛け止め部１３１が設けられ、掛け止め部が中央プラグ部分に向かって押されると、掛け止め部が中央プラグ部分に近づくように変位し、掛け止め部が嵌合側へ引っ張られると、掛け止め部の中央プラグ部分に近づく変位が抑えられるように構成したプラグコネクタ組立体Ｐである。【選択図】図１
2010027522.tif 000002
【特許請求の範囲】
【請求項１】
内部に、電気端子の接続部側を収容する第１収容室が設けられた本体と、この本体から高さ方向に沿って嵌合側へ延び、内部に、上記第１収容室に連通し且つ嵌合側に開口して上記電気端子の接触部を収容する第２収容室が設けられた中央プラグ部分と、上記本体における高さ方向にみて上記中央プラグ部分を囲む環状部位のうち複数の箇所から高さ方向に沿って嵌合側へそれぞれ延びた複数の脚部とを有するハウジングと、
反嵌合側の面が押圧面となり嵌合側の面が上記ハウジングの本体に接触した板状の操作部材と、この操作部材の嵌合側の面から互いにほぼ平行に嵌合側へ延び、上記本体における上記中央プラグ部分と上記複数の脚部との間で高さ方向に貫通する複数の貫通孔にそれぞれスライド自在に嵌る複数のガイド部材とを有する制御部材とを備え、
上記各脚部の嵌合側の端部における上記中央プラグ部分から遠い側には、上記中央プラグ部分から遠い側へ突き出た掛け止め部がそれぞれ設けられ、
上記各ガイド部材の嵌合側の端部における上記中央プラグ部分から遠い側で且つ上記各脚部の嵌合側の端部に対向する部位には、上記中央プラグ部分に向かって凹む凹部がそれぞれ設けられ、この各凹部を構成する面のうち嵌合側の面が、上記各脚部における嵌合側の先端で且つ上記中央プラグ部分に近い側の部位である先端内側部にそれぞれほぼ対向しており、しかも上記中央プラグ部分へ向かうにつれて反嵌合側に向かうように傾斜したガイド面にそれぞれ形成されており、
上記各脚部の掛け止め部よりも反嵌合側で且つ上記中央プラグ部分に近い側には、上記中央プラグ部分から遠い側へ凹み、反嵌合側へスライドしたときの上記各ガイド部材の嵌合側の端部を受け入れる待避部がそれぞれ形成されており、
上記各掛け止め部が上記中央プラグ部分に向かってそれぞれ押されると、上記各先端内側部が上記各ガイド面にそれぞれ案内されることにより各掛け止め部が上記中央プラグ部分に近づくようにそれぞれ変位し、上記各掛け止め部が嵌合側へそれぞれ引っ張られると、上記各先端内側部が上記各ガイド面によりそれぞれ受け止められることにより各掛け止め部の上記中央プラグ部分に近づく変位がそれぞれ抑えられるように構成したプラグコネクタ組立体。
【請求項２】
上記脚部及びガイド部材の数がそれぞれ二つであり、この二つのガイド部材が高さ方向にみて上記中央プラグ部分の第２収容室を挟んでほぼ対向する部位に設けられ、上記二つの脚部が高さ方向にみて上記二つのガイド部材に対して上記中央プラグ部分から遠い部位で且つ上記中央プラグ部分の第２収容室を挟んでほぼ対向する部位に設けられている請求項１のプラグコネクタ組立体。
【請求項３】
上記各脚部の先端内側部が、上記中央プラグ部分へ向かうにつれて反嵌合側に向かうように傾斜した傾斜面にそれぞれ形成されている請求項１又は請求項２のプラグコネクタ組立体。
【発明の詳細な説明】
【技術分野】
【０００１】
本発明は電気コネクタの技術分野に属し、相手方のソケットに嵌合し、ロック機構によりロックされるプラグ型コネクタに関する。
【背景技術】
【０００２】
特許文献１は、接続部およびロック手段を有するハウジングと、ハウジングカバーと、それぞれの端部にロック突起が形成された二つのロック舌片を有する部分カバーとを備えたプラグ型コネクタを開示している。上記ロック手段及び上記ロック突起は、上記ハウジングの湾曲部と共に、ソケットに挿入された上記プラグ型コネクタを当該ソケットに機械的にロックする。その場合、上記ロック舌片は、上記ソケットの内壁に設けられた環状溝に上記ロック突起を係合させ、また上記湾曲部は上記ロック舌片の係合部となる。また、上記ハウジングカバーには、部分カバーのロックを解除するための工具（スクリュードライバー等）を導入するための凹部が設けられている。
【０００３】
【特許文献１】特開２００６−１９２９７号公報
【発明の開示】
【発明が解決しようとする課題】
【０００４】
特許文献１のプラグ型コネクタを上記ソケットに挿入する場合、上記部分カバーに押圧力をかけてプラグ型コネクタをソケットに向けて押し込む。しかし、この部分カバーは板状に形成され、その一方の面が押圧面となり他方の面から二つのロック舌片が互いにほぼ平行に延びるという構造であるので、この板状部材のどの部位を押すかによって板状部材の反り方、ロック舌片の撓み方が変わる。そのため、上記板状部材のどの部位を押すかによって上記ロック突起を上記環状溝へ係合させるための荷重、つまり上記ロック突起が上記環状溝に係合するための挿入力が異なり、そのために操作性にバラツキがでてくる。
【０００５】
本発明は、このような点に着目してなされたものであり、その目的とするところは、ソケットの環状溝へ係合する掛け止め部を有する脚部をハウジングに設け、上記ソケットに向けて押し込まれる制御部材によって上記脚部の動きを制御することにより、制御部材の押圧面のどこを押しても脚部の掛け止め部を上記ソケットの環状溝へ係合させるための荷重、つまり上記掛け止め部が上記環状溝に係合するための挿入力が安定して得られ、操作性が向上したプラグコネクタ組立体を提供することにある。
【課題を解決するための手段】
【０００６】
本発明のプラグコネクタ組立体は、内部に、電気端子の接続部側を収容する第１収容室が設けられた本体と、この本体から高さ方向に沿って嵌合側へ延び、内部に、上記第１収容室に連通し且つ嵌合側に開口して上記電気端子の接触部を収容する第２収容室が設けられた中央プラグ部分と、上記本体における高さ方向にみて上記中央プラグ部分を囲む環状部位のうち複数の箇所から高さ方向に沿って嵌合側へそれぞれ延びた複数の脚部とを有するハウジングと、反嵌合側の面が押圧面となり嵌合側の面が上記ハウジングの本体に接触した板状の操作部材と、この操作部材の嵌合側の面から互いにほぼ平行に嵌合側へ延び、上記本体における上記中央プラグ部分と上記複数の脚部との間で高さ方向に貫通する複数の貫通孔にそれぞれスライド自在に嵌る複数のガイド部材とを有する制御部材とを備え、上記各脚部の嵌合側の端部における上記中央プラグ部分から遠い側には、上記中央プラグ部分から遠い側へ突き出た掛け止め部がそれぞれ設けられ、上記各ガイド部材の嵌合側の端部における上記中央プラグ部分から遠い側で且つ上記各脚部の嵌合側の端部に対向する部位には、上記中央プラグ部分に向かって凹む凹部がそれぞれ設けられ、この各凹部を構成する面のうち嵌合側の面が、上記各脚部における嵌合側の先端で且つ上記中央プラグ部分に近い側の部位である先端内側部にそれぞれほぼ対向しており、しかも上記中央プラグ部分へ向かうにつれて反嵌合側に向かうように傾斜したガイド面にそれぞれ形成されており、上記各脚部の掛け止め部よりも反嵌合側で且つ上記中央プラグ部分に近い側には、上記中央プラグ部分から遠い側へ凹み、反嵌合側へスライドしたときの上記各ガイド部材の嵌合側の端部を受け入れる待避部がそれぞれ形成されており、上記各掛け止め部が上記中央プラグ部分に向かってそれぞれ押されると、上記各先端内側部が上記各ガイド面にそれぞれ案内されることにより各掛け止め部が上記中央プラグ部分に近づくようにそれぞれ変位し、上記各掛け止め部が嵌合側へそれぞれ引っ張られると、上記各先端内側部が上記各ガイド面によりそれぞれ受け止められることにより各掛け止め部の上記中央プラグ部分に近づく変位がそれぞれ抑えられるように構成している。
【０００７】
このプラグコネクタ組立体の第１収容室及び第２収容室に電気端子を収容するとプラグコネクタができる。そして、このプラグコネクタを、内壁の周壁に環状溝が設けられたソケットに挿入するべく、上記制御部材の操作部材の押圧面に押圧力をかけて上記プラグコネクタを上記ソケットに向けて高さ方向に押し込む。そうすると、上記各掛け止め部が上記ソケットの内壁の周壁により上記中央プラグ部分に向かってそれぞれ押され、上記各先端内側部が上記各ガイド面にそれぞれ案内されて各掛け止め部が上記中央プラグ部分に近づくようにそれぞれ変位し、それによって上記中央プラグ部分がソケットに挿入されてゆき、上記各掛け止め部が復原力によって上記中央プラグ部分から離れる方向に変位して上記ソケットの環状溝にそれぞれ嵌ると、上記プラグコネクタのソケットへのロックが完了する。そして、上記プラグコネクタをソケットから引き抜くときなどには上記各掛け止め部が嵌合側へそれぞれ引っ張られるが、上記各先端内側部が上記各ガイド面によりそれぞれ受け止められて各掛け止め部の上記中央プラグ部分に近づく変位がそれぞれ抑えられることから、上記プラグコネクタがソケットから引き抜かれることが防止される。さらに、ハウジングに対して制御部材を反嵌合側へスライドさせると、上記各脚部の待避部に上記各ガイド部材の嵌合側の端部がそれぞれ入ることが可能となり、上記プラグコネクタをソケットから反嵌合方向へ引っ張ると、上記各掛け止め部が上記ソケットの内壁の周壁により上記中央プラグ部分に向かってそれぞれ押され、上記環状溝からそれぞれ外れてロックが解除され、上記プラグコネクタが上記ソケットから引き抜かれる。
【０００８】
上記従来のプラグ型コネクタでは、二つのロック舌片が板状の部分カバーから延びていたが、本発明のプラグコネクタ組立体では、複数の脚部がハウジングの本体から延びており、この本体は第１収容室を囲む立体的な構造体を構成していて上記板状の部分カバーよりも剛性が高い。しかも、操作部材の押圧面のどの部位を押すかによって操作部材の反り方、ガイド部材の撓み方が変わるとしても、ガイド部材と脚部との相対動により操作部材にかかる押圧力は脚部に伝わり難い。そのため、上記プラグコネクタを上記ソケットに挿入するべく上記制御部材の操作部材に押圧力をかけて上記プラグコネクタを上記ソケットに向けて高さ方向に押し込む場合、上記制御部材の押圧面のどこを押しても上記脚部の撓み方が変わることがなく、上記脚部の掛け止め部を上記ソケットの環状溝へ係合させるための荷重、つまり上記掛け止め部が上記環状溝に係合するための挿入力が安定して得られ、操作性が向上する。
【０００９】
本発明のプラグコネクタ組立体は、上記脚部及びガイド部材の数がそれぞれ二つであり、この二つのガイド部材が高さ方向にみて上記中央プラグ部分の第２収容室を挟んでほぼ対向する部位に設けられ、上記二つの脚部が高さ方向にみて上記二つのガイド部材に対して上記中央プラグ部分から遠い部位で且つ上記中央プラグ部分の第２収容室を挟んでほぼ対向する部位に設けられていてもよい。
【００１０】
このようにすれば、少ない脚部及びガイド部材でもって本発明のプラグコネクタ組立体が成立する。
【００１１】
本発明のプラグコネクタ組立体は、上記各脚部の先端内側部が、上記中央プラグ部分へ向かうにつれて反嵌合側に向かうように傾斜した傾斜面にそれぞれ形成されていてもよい。
【００１２】
このようにすれば、このような傾斜面に形成せずにエッジのままにしたときと較べると、各脚部の先端内側部がガイド面と接触するときの面圧が抑えられ、より安定的に接触する。
【発明の効果】
【００１３】
本発明のプラグコネクタ組立体は、ソケットの環状溝へ係合する掛け止め部を有する脚部をハウジングの本体に設け、上記ソケットに向けて押し込まれる制御部材によって上記脚部の動きを制御するようにしたので、制御部材の押圧面のどこを押しても脚部の掛け止め部を上記ソケットの環状溝へ係合させるための荷重、つまり上記掛け止め部が上記環状溝に係合するための挿入力が安定して得られ、操作性が向上する。
【００１４】
上記脚部及びガイド部材の数をそれぞれ二つとしたときは、少ない脚部及びガイド部材でもって本発明のプラグコネクタ組立体の効果を充分に得ることができる。
【００１５】
上記各脚部の先端内側部を傾斜面にそれぞれ形成したときには、このような傾斜面に形成せずにエッジのままにしたときと較べて、脚部とガイド部材とを、より安定的に接触させることができる。
【発明を実施するための最良の形態】
【００１６】
以下、本発明の実施の形態を説明する。図１ないし図１０は、本発明のプラグコネクタ組立体の第１の実施形態を示す。このプラグコネクタ組立体Ｐに電気端子３００を組み付けるとプラグコネクタができ、このプラグコネクタを相手側のソケットＳに挿入すると、このプラグコネクタがソケットＳにロックされ、プラグコネクタの電気端子３００が上記ソケットＳの電気端子７００に接続するようになっている。この実施形態の場合、ソケットＳは、インフレータのハウジングＦにその外面から高さ方向に凹ませることにより設けられている。この凹みである受け入れ空間は、ほぼ高さ方向に向いた底壁６１０と、この底壁６１０を囲む周壁６２０とにより囲まれてほぼ円柱形に形成されている。この底壁６１０と周壁６２０とによりソケットＳの内壁を構成している。上記電気端子７００は導電性材料により棒状に形成され、上記底壁６１０から高さ方向へ立ち上がっている。上記インフレータのハウジングＦにおいてソケットＳの裏側には、電気エネルギを受けて発熱するスクイブＱが固定され、スクイブＱの周囲には点火剤及びガス発生剤が配設されている。スクイブＱはヒータを内蔵しており、上記電気端子７００は、このヒータに導通させて設けられた一対のピンであり、スクイブＱから突き出ている。インフレータの裏側には収縮したエアバッグが納められている。上記電気端子７００に通電してヒータが発熱すると、点火剤が点火し、これによってガス発生剤がガスを発生し、このガスがエアバッグを展開させるようになっている。ただし、これによって本発明のソケットの構成が限定解釈されることはない。ソケットは高さ方向に凹む受け入れ空間を有し、この受け入れ空間に配置された電気端子を備えておればよく、その電気端子の数は設定される極数に応じて決められるのであり、この実施形態により二極に限定されることはない。以下、部材又は部分に対して嵌合側又は反嵌合側というときは、その部材又は部分がプラグコネクタ組立体に設けられているときは当該プラグコネクタ組立体の嵌合側又は反嵌合側のことであり、その部材又は部分が相手側のソケットに設けられているときは当該相手側のソケットの嵌合側又は反嵌合側のことである。嵌合側とは嵌合される側のことであり、反嵌合側とは、この嵌合側と反対側のことである。
【００１７】
図１に示すように、上記ソケットＳの周壁６２０には、環状溝６３０が形成されている。この環状溝６３０は、上記周壁６２０の高さ方向の中途部に設けられており、高さ方向からみて中心部から離れる方へ凹んでいる。この実施形態では環状溝６３０は高さ方向からみて環状に連続しているが、複数の溝を不連続に設けてもよい。
【００１８】
図１、図２及び図５に示すように、上記ソケットＳには、上記一対の電気端子７００を短絡させる短絡インサートＩが嵌合している。この短絡インサートＩは、上記ソケットＳに嵌合する絶縁性材料よりなるハウジングと、このハウジングに設けられた導電性材料よりなる短絡片（図示省略）とを備えている。この短絡片は、上記一対の電気端子７００に接触してこれらを短絡させており、上記プラグコネクタがソケットＳに挿入されると、プラグコネクタにより上記短絡片が上記一対の電気端子７００から離れる方向へ押しやられ、上記一対の電気端子７００の間の導通が断たれるようになっている。
【００１９】
図１、図２及び図５に示すように、上記プラグコネクタ組立体Ｐは、ハウジング１００と、制御部材２００とを備えている。この実施形態では、ハウジング１００も制御部材２００も絶縁性材料よりなるが、少なくともハウジングにおける当該ハウジングが収容する電気端子との接触部分は絶縁性材料で形成されている必要がある。上記ハウジング１００は、内部に第１収容室１１１が設けられた本体１１０を備えている。図５に示すように、この本体１１０は、嵌合側部材１１０ａと、この嵌合側部材１１０ａに重なってこれと係合する反嵌合側部材１１０ｂとを備えている。相対的に、反嵌合側部材１１０ｂは嵌合側部材１１０ａの反嵌合側に配置されている。上記電気端子３００は、導電性材料により全体がほぼＬ字形に形成され、一方側の端には高さ方向に延びる筒状の接触部３１０が設けられ、他方側の端には高さ方向にほぼ直交する方向に延びる接続部３２０が設けられており、この接触部３１０が上記ソケットＳの電気端子７００に嵌合することになり、この接続部３２０に電線Ｗの芯線が接続されることになる。この実施形態の電気端子３００は圧着形であるので、接続部３２０をバレルにより構成しているが、接続部は他の形態であってもよい。上記嵌合側部材１１０ａと反嵌合側部材１１０ｂとの間には第１収容室１１１が設けられ、この第１収容室１１１に、上記電気端子３００における接続部３２０の側が収容されるようになっている。すなわち、ほぼ平行に配置される二つの上記電気端子３００における接続部３２０の側が第１収容室１１１に収容されるようになっており、これらの接続部３２０に接続された二本の電線Ｗが上記本体１１０の端部から外部へ導出される。この電気端子３００の接続部３２０の側というのは、電気端子３００の接触部３１０の側に対する表現である。この実施形態では第１収容室１１１に、接続部３２０に加えて接続部３２０と接触部３１０との間の部分も収容しているが、接続部だけを収容するようにしてもよい。このような構造にすることで、上記本体１１０は第１収容室１１１を囲む立体的な構造体を構成しており、板状の部材よりも剛性が高くなっている。この実施形態では、このように上記本体１１０を嵌合側部材１１０ａと反嵌合側部材１１０ｂとに分割したが、本体を分割せずに単体の部材とし、その内部に、電気端子の接続部側を収容する第１収容室を設けるようにしてもよい。
【００２０】
上記本体１１０には中央プラグ部分１２０が設けられている。この中央プラグ部分１２０は、上記本体１１０から高さ方向に沿って嵌合側へ延びている。この中央プラグ部分１２０は、上記ソケットＳの受け入れ空間に挿入される部位であり、上記短絡インサートＩには、中央プラグ部分１２０を受け入れる受け入れ部が形成されている。中央プラグ部分１２０の内部には、上記第１収容室１１１に連通し且つ嵌合側に開口して二つの上記電気端子３００の接触部３１０を収容する二つの第２収容室１２１が設けられている。この実施形態では第２収容室１２１に、接触部３１０に加えて接触部３１０と接続部３２０との間の部分も収容しているが、接触部だけを収容するようにしてもよい。
【００２１】
上記本体１１０には複数の脚部１３０が設けられている。これらの脚部１３０は、上記本体１１０における高さ方向にみて上記中央プラグ部分１２０を囲む環状部位のうち複数の箇所から高さ方向に沿って嵌合側へそれぞれ延びている。この実施形態では、この脚部１３０の数が二つであるが、三つ以上の脚部を設けてもよい。この実施形態では、この脚部１３０は本体１１０のうち嵌合側部材１１０ａに設けられているが、反嵌合側部材１１０ｂに設けてもよい。
【００２２】
上記制御部材２００は、板状の操作部材２１０と、この操作部材２１０に設けられた複数のガイド部材２２０とを備えている。この操作部材２１０は、反嵌合側の面が押圧面２１１となり、嵌合側の面が上記ハウジング１００の本体１１０に接触している。上記複数のガイド部材２２０は、上記操作部材２１０の嵌合側の面から互いにほぼ平行に嵌合側へ延びている。そして、これらの複数のガイド部材２２０は、上記本体１１０における上記中央プラグ部分１２０と上記複数の脚部１３０との間で高さ方向に貫通する複数の貫通孔１１２にそれぞれスライド自在に嵌っている。この実施形態では、このガイド部材２２０の数が二つであるが、三つ以上のガイド部材を設けてもよい。
【００２３】
この実施形態では、上述したように、上記脚部１３０及びガイド部材２２０の数がそれぞれ二つである。そして、この二つのガイド部材２２０は、高さ方向からみたときに、上記中央プラグ部分１２０の第２収容室１２１を挟んでほぼ対向する部位に設けられている。また、上記二つの脚部１３０は、高さ方向からみたときに、上記二つのガイド部材２２０に対して上記中央プラグ部分１２０から遠い部位で且つ上記中央プラグ部分１２０の第２収容室１２１を挟んでほぼ対向する部位に設けられている。上記二つのガイド部材２２０は、高さ方向からみたときに、上記電気端子３００の接続部３２０が延びる方向に平行で且つ上記中央プラグ部分１２０の第２収容室１２１の中央部を通る仮想的な線を介してほぼ対称な位置にあり、上記二つの脚部も同様に上記線を介してほぼ対称な位置にある。
【００２４】
上記各脚部１３０の嵌合側の端部における上記中央プラグ部分１２０から遠い側には、上記中央プラグ部分１２０から遠い側へ突き出た掛け止め部１３１がそれぞれ設けられている。
【００２５】
図１及び図６に示すように、上記各ガイド部材２２０の嵌合側の端部における上記中央プラグ部分１２０から遠い側で且つ上記各脚部１３０の嵌合側の端部に対向する部位には、上記中央プラグ部分１２０に向かって凹む凹部２２１がそれぞれ設けられている。そして、この各凹部２２１を構成する面のうち嵌合側の面が、上記各脚部１３０における嵌合側の先端で且つ上記中央プラグ部分１２０に近い側の部位である先端内側部１３３にそれぞれほぼ対向している。しかも、この面は上記中央プラグ部分１２０へ向かうにつれて反嵌合側に向かうように傾斜したガイド面２２１ａにそれぞれ形成されている。
【００２６】
図１及び図６に示すように、上記各脚部１３０の掛け止め部１３１よりも反嵌合側で且つ上記中央プラグ部分１２０に近い側には、上記中央プラグ部分１２０から遠い側へ凹み、反嵌合側へスライドしたときの上記各ガイド部材２２０の嵌合側の端部を受け入れる待避部１３２がそれぞれ形成されている。この実施形態では待避部１３２は、脚部１３０における中央プラグ部分１２０に近い方の面から遠い方の面まで貫通しているが、中央プラグ部分から遠い側へ凹んでおれば、このように貫通していなくてもよい。
【００２７】
そして、上記各掛け止め部１３１が上記中央プラグ部分１２０に向かってそれぞれ押されると、図６に矢印で示すように、上記各先端内側部１３３が上記各ガイド面２２１ａにそれぞれ案内されることにより各掛け止め部１３１が上記中央プラグ部分１２０に近づくようにそれぞれ変位し、上記各掛け止め部１３１が嵌合側へそれぞれ引っ張られると、図７に矢印で示すように、上記各先端内側部１３３が上記各ガイド面２２１ａによりそれぞれ受け止められることにより各掛け止め部１３１の上記中央プラグ部分１２０に近づく変位がそれぞれ抑えられるように構成している。その場合、自由状態で高さ方向にみて先端内側部１３３とガイド面２２１ａとが重なっていないときであっても、上記各掛け止め部１３１が嵌合側へ引っ張られると、それによって生じた曲げモーメントにより、脚部１３０が若干倒れて上記先端内側部１３３が上記中央プラグ部分１２０に近づく方向に若干変位するため、上記先端内側部１３３が上記各ガイド面２２１ａによりそれぞれ受け止められることになる。
【００２８】
上記各脚部１３０の先端内側部１３３は、上記中央プラグ部分１２０へ向かうにつれて反嵌合側に向かうように傾斜した傾斜面にそれぞれ形成されている。
【００２９】
次に、上記実施形態の作用及び効果を説明する。このプラグコネクタ組立体Ｐの第１収容室１１１及び第２収容室１２１に電気端子３００を収容するとプラグコネクタができる。そして、このプラグコネクタを、内壁の周壁６２０に環状溝６３０が設けられたソケットＳに挿入するべく、上記制御部材２００の操作部材２１０の押圧面２１１に押圧力をかけて上記プラグコネクタを上記ソケットＳに向けて高さ方向に押し込む。そうすると、上記各掛け止め部１３１が上記ソケットＳの内壁の周壁６２０により上記中央プラグ部分１２０に向かってそれぞれ押され、上記各先端内側部１３３が上記各ガイド面２２１ａにそれぞれ案内されて各掛け止め部１３１が上記中央プラグ部分１２０に近づくようにそれぞれ変位し、それによって上記中央プラグ部分１２０がソケットＳに挿入されてゆき、上記各掛け止め部１３１が復原力によって上記中央プラグ部分１２０から離れる方向に変位して上記ソケットＳの環状溝６３０にそれぞれ嵌ると、上記プラグコネクタのソケットＳへのロックが完了する。そして、上記プラグコネクタをソケットＳから引き抜くときなどには上記各掛け止め部１３１が嵌合側へそれぞれ引っ張られるが、上記各先端内側部１３３が上記各ガイド面２２１ａによりそれぞれ受け止められて各掛け止め部１３１の上記中央プラグ部分１２０に近づく変位がそれぞれ抑えられることから、上記プラグコネクタがソケットＳから引き抜かれることが防止される。さらに、ハウジング１００に対して制御部材２００を反嵌合側へスライドさせると、上記各脚部１３０の待避部１３２に上記各ガイド部材２２０の嵌合側の端部が入ることが可能となり、上記プラグコネクタをソケットＳから反嵌合方向へ引っ張ると、上記各掛け止め部１３１が上記ソケットＳの内壁の周壁６２０により上記中央プラグ部分１２０に向かってそれぞれ押され、上記環状溝６３０からそれぞれ外れてロックが解除され、上記プラグコネクタが上記ソケットＳから引き抜かれる。
【００３０】
上記従来のプラグ型コネクタでは、二つのロック舌片が板状の部分カバーから延びていたが、本発明のプラグコネクタ組立体Ｐでは、複数の脚部１３０がハウジング１００の本体１１０から延びており、この本体１１０は第１収容室１１１を囲む立体的な構造体を構成していて上記板状の部分カバーよりも剛性が高い。しかも、操作部材２１０の押圧面２１１のどの部位を押すかによって操作部材２１０の反り方、ガイド部材２２０の撓み方が変わるとしても、ガイド部材２２０と脚部１３０との相対動により操作部材２１０にかかる押圧力は脚部１３０に伝わり難い。そのため、上記プラグコネクタを上記ソケットＳに挿入するべく上記制御部材２００の操作部材２１０に押圧力をかけて上記プラグコネクタを上記ソケットＳに向けて高さ方向に押し込む場合、上記制御部材２００の押圧面２１１のどこを押しても上記脚部１３０の撓み方が変わることがなく、上記脚部１３０の掛け止め部１３１を上記ソケットＳの環状溝６３０へ係合させるための荷重、つまり上記掛け止め部１３１が上記環状溝６３０に係合するための挿入力が安定して得られ、操作性が向上する。
【００３１】
本発明のプラグコネクタ組立体は、脚部及びガイド部材の数、ハウジングの本体において脚部及びガイド部材を設ける部位を限定していない。そのような種々の実施形態のなかで、上記実施形態のプラグコネクタ組立体Ｐは、上記脚部１３０及びガイド部材２２０の数がそれぞれ二つであり、この二つのガイド部材２２０が高さ方向にみて上記中央プラグ部分１２０の第２収容室１２１を挟んでほぼ対向する部位に設けられ、上記二つの脚部１３０が高さ方向にみて上記二つのガイド部材２２０に対して上記中央プラグ部分１２０から遠い部位で且つ上記中央プラグ部分１２０の第２収容室１２１を挟んでほぼ対向する部位に設けられている。このようにすれば、少ない脚部１３０及びガイド部材２２０でもって本発明のプラグコネクタ組立体Ｐが成立し、本発明のプラグコネクタ組立体の効果を充分に得ることができる。
【００３２】
本発明のプラグコネクタ組立体は、上記各脚部の先端内側部の形状を限定していない。そのような種々の実施形態のなかで、上記実施形態のプラグコネクタ組立体Ｐは、上記各脚部１３０の先端内側部１３３を、上記中央プラグ部分１２０へ向かうにつれて反嵌合側に向かうように傾斜した傾斜面にそれぞれ形成した。このようにすれば、このような傾斜面を設けずにエッジのままにしたときと較べると、脚部１３０の先端内側部１３３がガイド面２２１ａと接触するときの面圧が抑えられ、脚部１３０とガイド部材２２０とが、より安定的に接触する。
【００３３】
図１１及び図１２は本発明のプラグコネクタ組立体の第２の実施形態を示す。この第２の実施形態には上記第１の実施形態の構成をそのまま引用し、第１の実施形態の構成と異なる構成について追加的に説明する。上記第１の実施形態では、上記脚部１３０及びガイド部材２２０の数をそれぞれ二つとしたが、第２の実施形態では、上記脚部１３０及びガイド部材２２０の数をそれぞれ三つとしている。すなわち、これらの脚部１３０は、上記本体１１０における高さ方向にみて上記中央プラグ部分１２０を囲む環状部位のうち三カ所から高さ方向に沿って嵌合側へそれぞれ延びている。この実施形態では、この脚部１３０は本体１１０のうち嵌合側部材１１０ａに設けられているが、反嵌合側部材１１０ｂに設けてもよい。また、上記制御部材２００の三つのガイド部材２２０は、上記操作部材２１０の嵌合側の面から互いにほぼ平行に嵌合側へ延びている。そして、これらの三つのガイド部材２２０は、上記本体１１０における上記中央プラグ部分１２０と上記三つの脚部１３０との間で高さ方向に貫通する三つの貫通孔１１２にそれぞれスライド自在に嵌っている。そして、上記三つのガイド部材２２０のうちの二つは、高さ方向からみたときに、上記中央プラグ部分１２０の第２収容室１２１を挟んでほぼ対向する部位に設けられている。また、上記三つの脚部１３０のうちの二つは、高さ方向からみたときに、上記二つのガイド部材２２０に対して上記中央プラグ部分１２０から遠い部位で且つ上記中央プラグ部分１２０の第２収容室１２１を挟んでほぼ対向する部位に設けられている。上記二つのガイド部材２２０は、高さ方向からみたときに、上記電気端子３００の接続部３２０が延びる方向に平行で且つ上記中央プラグ部分１２０の第２収容室１２１の中央を通る仮想的な線を介してほぼ対称な位置にあり、上記二つの脚部も同様に上記線を介してほぼ対称な位置にある。残る上記一つのガイド部材２２０は、高さ方向からみたときに、上記中央プラグ部分１２０の第２収容室１２１を挟んで電線Ｗの引き出し側とほぼ対向する部位に設けられている。また、残る上記一つの脚部１３０は、高さ方向からみたときに、残る上記一つのガイド部材２２０に対して上記中央プラグ部分１２０から遠い部位で且つ上記中央プラグ部分１２０の第２収容室１２１を挟んで電線Ｗの引き出し側とほぼ対向する部位に設けられている。ハウジング１００の本体１１０、中央プラグ部分１２０及び脚部１３０、制御部材２００の操作部材２１０及びガイド部材２２０、並びに電気端子３００におけるそれ以外の構成は第１の実施形態と場合と同様であり、また接続先のインフレータのハウジングＦ、スクイブＱ、並びにソケットＳの底壁６１０、周壁６２０、環状溝６３０及び電気端子７００の構成は第１の実施形態と場合と同様である。第２の実施形態では上記脚部１３０及びガイド部材２２０の数をそれぞれ三つとしたため、短絡インサートの形状は、それに応じた形状となっている。この第２の実施形態によっても上記第１の実施形態で得られた作用及び効果が得られる。
【００３４】
本発明は、上記実施形態又は変形例の特徴を組み合わせた実施形態を含んでいる。さらに、以上の実施形態は本発明のプラグコネクタ組立体のいくつかの例を示したに過ぎない。したがって、これらの実施形態の記載によって本発明のプラグコネクタ組立体が限定解釈されるものではない。
【図面の簡単な説明】
【００３５】
【図１】本発明のプラグコネクタ組立体及びソケットの第１の実施形態を示す断面図である。スクイブは断面していない。
【図２】上記プラグコネクタ組立体及びソケットの第１の実施形態を示す斜視図である。
【図３】上記プラグコネクタ組立体及びソケットの第１の実施形態を示す側面図である。
【図４】上記プラグコネクタ組立体及びソケットの第１の実施形態を示す背面図である。
【図５】上記プラグコネクタ組立体及びソケットの第１の実施形態を示す分解斜視図である。
【図６】上記プラグコネクタ組立体及びソケットの第１の実施形態における要部の拡大断面図である。プラグコネクタ組立体がソケットに挿入されつつある。矢印は、先端内側部が変位する方向を示す。
【図７】上記プラグコネクタ組立体及びソケットの第１の実施形態における要部の拡大断面図である。プラグコネクタ組立体がソケットに挿入されてソケットにロックされている。矢印は、掛け止め部が嵌合側へ引っ張られたときに先端内側部が向かう方向を示す。
【図８】図１に相当する図である。プラグコネクタ組立体がソケットに挿入されてソケットにロックされている。
【図９】図１に相当する図である。図８の状態から制御部材が反嵌合側へスライドされている。
【図１０】図１に相当する図である。図９の状態からプラグコネクタ組立体がソケットから引き抜かれている。
【図１１】本発明のプラグコネクタ組立体の第２の実施形態を示す斜視図である。
【図１２】本発明のプラグコネクタ組立体の第２の実施形態を示す側面図である。
【符号の説明】
【００３６】
Ｐ  プラグコネクタ組立体
１００  ハウジング
１１０  本体
１１１  第１収容室
１１２  貫通孔
１２０  中央プラグ部分
１２１  第２収容室
１３０  脚部
１３１  掛け止め部
１３２  待避部
１３３  先端内側部
２００  制御部材
２１０  操作部材
２１１  押圧面
２２０  ガイド部材
２２１  凹部
２２１ａ  ガイド面
３００  電気端子
３１０  接触部
Ｓ  ソケット
６３０  環状溝
７００  電気端子
【図１】
2010027522.tif 000003
【図２】
2010027522.tif 000004
【図３】
2010027522.tif 000005
【図４】
2010027522.tif 000006
【図５】
2010027522.tif 000007
【図６】
2010027522.tif 000008
【図７】
2010027522.tif 000009
【図８】
2010027522.tif 000010
【図９】
2010027522.tif 000011
【図１０】
2010027522.tif 000012
【図１１】
2010027522.tif 000013
【図１２】
2010027522.tif 000014